(57)【要約】【課題】弦楽器の胴や弦を保護することが出来、直立時の傾きを調整することも出来る補助部材を提供する。【解決手段】弦楽器の胴２０の端面２２と表面２１の間の縁に配置され、前記弦楽器の弦３０によって押圧された状態で使用される補助部材であって、前記弦楽器の前記弦３０を載せる弦載部１５を備え、前記胴の前記端面２２または前記表面２１よりも外側に突出する突出部１１を備えており、前記端面２２の垂直方向または前記表面２１の垂直方向における前記突出部１１の高さは、前記弦３０の直径よりも大きい。【選択図】図１
0003219750.tif 000002
【実用新案登録請求の範囲】
【請求項１】
弦楽器の胴２０の端面２２と表面２１の間の縁に配置され、
前記弦楽器の弦３０によって押圧された状態で使用される補助部材であって、
前記弦楽器の前記弦３０を載せる弦載部１５を備え、
前記胴の前記端面２２または前記表面２１よりも外側に突出する突出部１１を備えており、
前記端面２２の垂直方向または前記表面２１の垂直方向における
前記突出部１１の高さは、
前記弦３０の直径よりも大きいことを特徴とする補助部材。
【請求項２】
前記突出部１１は、前記弦楽器を縦置きした際に床面と接触し、
前記弦楽器と前記床面との傾きを調整出来ることを
特徴とする請求項1に記載の補助部材。
【請求項３】
前記突出部１１は、補助部材の両端に形成されていることを
特徴とする請求項1または２に記載の補助部材。
【請求項４】
前記弦３０を通すことの出来る開口部１３が、
前記突出部１１に形成されていることを
特徴とする請求項１乃至３のいずれか１つに記載の補助部材。
【請求項５】
緩衝性を有する緩衝部材４０が、
前記突出部１１に巻着されていることを
特徴とする請求項1乃至５のいずれか１つに記載の補助部材。
【請求項６】
請求項１乃至５のいずれか１つに記載の補助部材が取り付けられた弦楽器。
【考案の詳細な説明】
【技術分野】
【０００１】
三味線・三線・胡弓などの弦楽器に取り付ける補助部材に関する。    
【考案の概要】
【考案が解決しようとする課題】
【０００２】
従来の三味線等の絃楽器の縁を保護する部材として、音緒駒が存在していたが、弦楽器の胴や弦を保護する機能が不十分であった。また、弦楽器を直立させた際、床面と弦楽器の傾きを調整することも出来なかった。
【課題を解決するための手段】
【０００３】
上記の課題を解決する為に、本考案では、弦楽器の胴２０の端面２２と表面２１の間の縁に配置され、前記弦楽器の弦３０によって押圧された状態で使用される補助部材であって、前記弦楽器の前記弦３０を載せる弦載部１５を備え、前記胴の前記端面２２または前記表面２１よりも外側に突出する突出部１１を備えており、前記端面２２の垂直方向または前記表面２１の垂直方向における前記突出部１１の高さは、前記弦３０の直径よりも大きい補助部材を提供する。
【０００４】
前記突出部１１は、前記弦楽器を縦置きした際に床面と接触し、前記弦楽器と前記床面との傾きを調整出来ることが好ましい。
【０００５】
前記突出部１１は、補助部材の両端に形成されていることが好ましい。
【０００６】
前記弦３０を通すことの出来る開口部１３が、前記突出部１１に形成されていることが好ましい。
【０００７】
緩衝性を有する緩衝部材４０が、前記突出部１１に巻着されていることが好ましい。
【考案の効果】
【０００８】
弦楽器の胴や弦を保護することが出来る。また、直立時の傾きを調整することも可能である。さらに弦楽器の耐久性の向上にも繋げることが出来る。
【図面の簡単な説明】
【０００９】
【図１】補助部材１０を胴２０に取り付けた状態を示す斜視図である。
【図２】図１の側面図である。
【図３】補助部材１０Ａを胴２０に取り付けた状態を示す斜視図である。
【図４】図３の側面図である。
【図５】補助部材１０Ｂを胴２０に取り付けた状態を示す斜視図である。
【図６】図５の側面図である。
【図７】補助部材１０Ｃを胴２０に取り付けた状態を示す斜視図である。
【図８】図７の側面図である。
【図９】補助部材１０Ｄを胴２０に取り付けた状態を示す斜視図である。
【図１０】補助部材１０Ｅを胴２０に取り付けた状態を示す斜視図である。
【考案を実施するための形態】
【００１０】
図１は補助部材１０を胴２０に取り付けた状態を示す斜視図である。図示しているのは、弦楽器の胴２０に配置されている補助部材１０である。胴２０の表皮が張られている面が表面２１であり、弦楽器の先端と反対側になる面が端面２２である。
【００１１】
補助部材１０は、弦楽器の胴２０の端面２２と表面２１の間の縁に配置されており、弦３０によって押圧された状態で使用される。弦３０と補助部材１０が接触する位置に弦載部１５が設けられる。
【００１２】
略フラットな面が２面あり、一方の面は、表面２１に接しており、他方の面は、端面２２に接している。略フラットな面から胴の外側に向けて、突出部１１が延びている。
【００１３】
また、突出部１１は補助部材１０の両端に設けられており、補助部材１０の長さ方向の大きさは、胴の大きさに合わせて任意に設定することが出来る。この考案における突出部１１は、略フラットな２面を除く部位を指すことになる。
【００１４】
図２は補助部材１０を胴２０に取り付けた状態を示す側面図である。胴２０の端面２２を下方に向けて床面に置いた状態を示している。突出部１１が床面に接触し、弦楽器の傾きを調整することが出来る。
【００１５】
端面２２の垂直方向において、突出部１１の高さは、弦３０の直径よりも大きい。その為、弦３０が床面に接触しなくなり、傷付くことから防ぎ、弦３０を保護することが出来る。
【００１６】
また、弦楽器が表面から倒れてしまうと、駒５０によって緊張している弦３０が傷付いてしまう虞があるが、
このようにすることで、表面側に倒れてしまうことを防ぐことが出来る。
【００１７】
図３は補助部材１０Ａを胴２０に取り付けた状態を示す斜視図であり、図４は補助部材１０Ａを胴２０に取り付けた状態を示す側面図である。
【００１８】
図示しているように、補助部材１０Ａの突出部１１には、弦３０を通すことの出来る開口部１３が形成されている。この開口部１３に弦３０を通すことで、弦３０が外れにくくなると同時に、補助部材１０が弦楽器から脱落することを防止することが出来る。
【００１９】
胴２０の表面２１の垂直方向において、突出部１１の高さは、弦３０の直径よりも大きい。その為、仮に胴２０の表面側に弦楽器が倒れた場合でも、弦３０を保護することが出来る。
【００２０】
図５は補助部材１０Ｂを胴２０に取り付けた状態を示す斜視図であり、図６は補助部材１０Ｂを胴２０に取り付けた状態を示す側面図である。図６で示すように、突出部１１が床面と接触する位置が、胴の表面２１と端面２２の間の角部よりも外側へ延びている距離が大きくなるほど、直立した弦楽器の安定度を高めることが出来る。
【００２１】
図７は補助部材１０Ｃを胴２０に取り付けた状態を示す斜視図であり、図８は補助部材１０Ｃを胴２０に取り付けた状態を示す側面図である。図示しているように、弦溝１６が形成されおり、この弦溝１６の深さは任意の大きさにすることが出来る。
【００２２】
突出部１１の高さと弦溝１６の深さを合わせて、弦３０の直径よりも大きくすることで、弦３０が床面に触れないようにさせることが出来る。また、この弦溝１６により、弦３０の間隔を一定に保つことが出来る。
【００２３】
図９は補助部材１０Ｄを胴２０に取り付けた状態を示す斜視図である。図示しているように、突出部１１は、胴の表面２１と端面２２の間の角部より斜め外側に突出している。
【００２４】
このようにすることで、弦楽器を直立させた際の調整も可能であり、弦３０を保護することも出来る。弦溝１６が形成されおり、この弦溝１６により、弦３０の間隔を一定に保つことが出来る。
【００２５】
図１０は補助部材１０Ｅを胴２０に取り付けた状態を示す斜視図である。図示しているように、突出部１１に挿通孔１４が形成されており、緩衝性を有する緩衝部材４０が、前記突出部１１に巻着されている。緩衝部材４０は、組紐、ゴム紐、プラスチック紐でも良い。
【００２６】
このようにすることで、弦楽器が載置した床面を傷付くことを防ぐことが可能である。また、補助部材１０の意匠性を高めることも出来る。
【００２７】
図３・図５において、開口部１３に緩衝部材４０を巻着させることが出来、図９においては、突出部１１の側面に設けられた孔に緩衝部材４０を巻着させることが出来る。
この緩衝部材４０が巻着させることで、床面を傷付ける心配がなくなり、演奏者の手が当たった場合でも、演奏者の手を傷付ける心配がなくなる。
【００２８】
図１・図３・図５・図１０で示した補助部材１０においても、後から弦溝１６を設けることが出来る。この弦溝１６があることで、弦楽器に張られた複数の弦３０の間隔を一定に保つことが可能になる。
【００２９】
直立出来る弦楽器の場合、端面２２に弦孔２４が設けられ、この弦孔２４に弦３０を挿通させることが出来る。
【００３０】
補助部材１０を胴２０に取り付けるには、胴の縁に配置させた後に、ボンドやテープによって粘着させて取り付けても良く、鋲やネジなどで固定させて取り付けても良い。
【００３１】
図や説明では、三味線を主な対象としているが、三線・胡弓などの弦楽器でも同様の機能を持たせることが可能である。
【符号の説明】
【００３２】
１０…補助部材  
１１…突出部
１３…開口部
１４…挿通孔
１５…弦載部
１６…弦溝
２０…胴
２１…表面
２２…端面
２３…側面
２４…弦孔
３０…弦
４０…緩衝部材
【図１】
0003219750.tif 000003
【図２】
0003219750.tif 000004
【図３】
0003219750.tif 000005
【図４】
0003219750.tif 000006
【図５】
0003219750.tif 000007
【図６】
0003219750.tif 000008
【図７】
0003219750.tif 000009
【図８】
0003219750.tif 000010
【図９】
0003219750.tif 000011
【図１０】
0003219750.tif 000012
【手続補正書】
【提出日】平成30年11月21日(2018.11.21)
【手続補正１】
【補正対象書類名】実用新案登録請求の範囲
【補正対象項目名】請求項５
【補正方法】変更
【補正の内容】
【請求項５】
緩衝性を有する緩衝部材４０が、
前記突出部１１に巻着されていることを
特徴とする請求項１乃至４のいずれか１つに記載の補助部材。